(57)【要約】【課題】より鮮明に原稿を読み取ることのできる画像読取機器を提供すること。【解決手段】原稿１００の画像を読み取る画像読取部１０に、発光可能な発光部２６と、発光部２６で発した光が原稿１００で反射した場合における反射光を受光する複数の受光素子２５と、を有する受発光層２０と、原稿１００からの反射光のうち、異なる受光素子２５に対向する位置の原稿１００からの受光素子２５への反射光を遮光する遮光壁３１を有する遮光層３０と、を備える。これにより、原稿１００からの反射光を受光素子２５で受光することにより原稿１００の画像を読み取る際に、受光素子２５に対向している位置以外の位置で反射した反射光を受光することに起因する画質の劣化を抑制することができる。この結果、より鮮明に原稿１００を読み取ることができる。【選択図】図７
2011193350.tif 000002
【特許請求の範囲】
【請求項１】
発光可能な発光部と、前記発光部で発した光が原稿で反射した場合における反射光を受光する複数の受光部と、を有する受発光層と、
前記反射光のうち、異なる前記受光部に対向する位置の前記原稿からの前記受光部への前記反射光を遮光する遮光部を有する遮光層と、
を備えることを特徴とする画像読取機器。
【請求項２】
前記遮光部は、壁面が鏡面になっていることを特徴とする請求項１に記載の画像読取機器。
【請求項３】
前記遮光部は、隣り合う前記遮光部同士のピッチが、前記受光部が配設されるピッチと同ピッチになっていることを特徴とする請求項１または２に記載の画像読取機器。
【請求項４】
前記遮光層は、前記受光部が配設されるピッチの０．３〜１倍の厚さで設けられることを特徴とする請求項１〜３のいずれか１項に記載の画像読取機器。
【請求項５】
前記遮光層は、前記遮光部以外の部分であると共に、前記反射光を透過する透過部を有しており、
前記遮光部は、屈折率が前記透過部の屈折率よりも相対的に小さいことを特徴とする請求項１に記載の画像読取機器。
【請求項６】
前記遮光部は、隣り合う前記遮光部同士のピッチが、前記受光部が配設されるピッチよりも小さいピッチで設けられていることを特徴とする請求項５に記載の画像読取機器。
【請求項７】
ヒンジによって相対的に開閉可能に設けられた第１本体部と第２本体部とを有すると共に、前記第１本体部と前記第２本体部とには、双方を閉じた際に互いに対向するそれぞれの面に請求項１〜６のいずれか１項に記載の画像読取機器が設けられており、
前記原稿の画像を読み取る際には、前記第１本体部と前記第２本体部とを閉じることにより前記第１本体部と前記第２本体部との間に前記原稿を挟み込み、双方に設けられた前記画像読取機器により前記原稿の両面の画像を読み取ることが可能に設けられていることを特徴とする密着型撮像装置。
【発明の詳細な説明】
【技術分野】
【０００１】
本発明は、画像読取機器及び密着型撮像装置に関する。
【背景技術】
【０００２】
撮像装置での撮像時に画像を読み取る際に用いる画像読取機器としては様々な種類のものがあるが、近年では、画像を電気的に処理するものが増えている。例えば、特許文献１に記載された画像読取装置では、画像を電気信号に変換するＣＣＤ（Ｃｈａｒｇｅ  Ｃｏｕｐｌｅｄ  Ｄｅｖｉｃｅ）と、所定の倍率で読取領域の投影像を形成する第１光学系と、第１光学系により形成された投影像をＣＣＤに拡大投影する拡大投影レンズ、及び複数の拡大投影レンズ間を区分けするように遮光する遮光部材を備える第２光学系と、を有している。これにより、離散的に配置された多数の読取領域の画像を拡大して読み取ることができる。
【０００３】
また、特許文献２に記載された撮像装置では、光源としてＸ線等の放射線源を使用し、さらに、複数の画素を含む固体撮像素子と、固体撮像素子の表面上に形成され、複数の画素に対応して設けられた複数の貫通孔を有する遮光体と、貫通孔内のそれぞれに設けられた蛍光体と、を備えている。これにより、Ｘ線を用いて被写体を撮像する場合に、蛍光体によってＸ線を可視光線に変換し、固体撮像素子で、この変換後の可視光線によって撮像することができるので、Ｘ線等の放射線を用いて被写体を撮像する際に、可視光線用の固体撮像素子を使用して撮像することができる。
【先行技術文献】
【特許文献】
【０００４】
【特許文献１】特開２００２−３５４２０２号公報
【特許文献２】特開平７−１１１３２２号公報
【発明の概要】
【発明が解決しようとする課題】
【０００５】
ここで、撮像装置の中には、特許文献１に記載された画像読取装置や特許文献２に記載された撮像装置のように、撮像素子から離間した被写体を撮像するのではなく、被写体を画像読取機器に近接させた状態で撮像するものがある。例えば、書類等の原稿を読み取る密着型撮像装置の中には、原稿を撮像素子の近傍に位置させた状態で撮像するものがあり、このような密着型撮像装置では、光を電気信号に変換する撮像素子である受光部の近傍に原稿を位置させ、原稿からの反射光を受光部で受光することにより原稿を撮像する。このため、このような密着型撮像装置では、反射光の光量を確保するために、原稿を照射する発光部を受光部側に配設し、この発光部を発光させた際における原稿からの反射光により、受光部に対向する部分に位置する原稿の画像を読み取る。
【０００６】
しかし、このように受光部と原稿との距離が近い状態で、原稿からの反射光を受光部で受光することによって画像を読み取る場合、原稿で反射した反射光が、原稿におけるこの反射した部分に対向する受光部とは異なる受光部で受光する場合がある。例えば、原稿で反射した反射光は拡散しながら受光部の方向に向かうため、原稿を読み取る際に、原稿と受光部との距離が撮像に適した距離よりも離れている場合には、受光部に到達する際の反射光の広がりは、大きくなり易くなる。このため、原稿で反射した反射光を受光部で受光する際に、受光部は、原稿における当該受光部に対向している位置以外の位置で反射した反射光を受光する場合がある。この場合、受光部は、不適切な反射光を受光することになるため、この反射光を受光することによって原稿を撮像する際に、撮像する画像が不鮮明になる場合があった。
【０００７】
本発明は、上記に鑑みてなされたものであって、より鮮明に原稿を読み取ることのできる画像読取機器を提供することを目的とする。また、本発明は、上記に鑑みてなされたものであって、より鮮明に原稿を撮像することのできる密着型撮像装置を提供することを目的とする。
【課題を解決するための手段】
【０００８】
上述した課題を解決し、目的を達成するために、本発明に係る画像読取機器は、発光可能な発光部と、前記発光部で発した光が原稿で反射した場合における反射光を受光する複数の受光部と、を有する受発光層と、前記反射光のうち、異なる前記受光部に対向する位置の前記原稿からの前記受光部への前記反射光を遮光する遮光部を有する遮光層と、を備えることを特徴とする。
【０００９】
この発明では、原稿で反射した反射光を受光部で受光する際に、異なる受光部に対向する位置の原稿から受光部への反射光を、遮光層が有する遮光部によって遮光している。このため、受光部が、当該受光部に対向している部分以外の位置の原稿からの反射光を受光することを抑制することができる。これにより、原稿からの反射光を受光部で受光することによって原稿の画像を読み取る際に、受光部に対向している位置以外の位置で反射した反射光を受光することに起因する画質の劣化を抑制することができる。従って、例えば、原稿が画像読取機器から浮いている場合であっても、読み取った画像の画質が不鮮明になることを抑制することができる。この結果、より鮮明に原稿を読み取ることができる。
【００１０】
また、上記画像読取機器において、前記遮光部は、壁面が鏡面になっていることが好ましい。
【００１１】
この発明では、遮光部の壁面を鏡面にすることにより、遮光部で遮光した反射光を吸収せずに、鏡面になっている壁面で反射することができる。これにより、反射光が反射した部分の原稿に対向している受光部とは異なる受光部の方向に向かっている反射光を、反射光が反射した部分の原稿に対向している受光部の方向に向かわせることができる。これにより、原稿で反射した反射光を受光部で受光させる際に、受光部に対向している部分からの反射光の光量を増加させて受光させることができる。この結果、読み取る画像を明るくすることができ、より鮮明に原稿を読み取ることができる。
【００１２】
また、上記画像読取機器において、前記遮光部は、隣り合う前記遮光部同士のピッチが、前記受光部が配設されるピッチと同ピッチになっていることが好ましい。
【００１３】
この発明では、隣り合う遮光部同士のピッチを、受光部が配設されるピッチと同ピッチにするので、複数の受光部を遮光部によって１つずつ区分けすることができる。これにより、原稿からの反射光を受光部で受光する際に、それぞれの受光部に対向している部分以外の位置で反射した反射光を、より確実に遮光部によって遮光することができる。この結果、それぞれの受光部に対向している位置以外の位置で反射した反射光を受光することを、より確実に抑制することができ、より確実に鮮明に原稿を読み取ることができる。
【００１４】
また、上記画像読取機器において、前記遮光層は、前記受光部が配設されるピッチの０．３〜１倍の厚さで設けられることが好ましい。
【００１５】
この発明では、遮光層を、このような厚さで設けることにより、適切ではない方向に向かう反射光を遮光しつつ、受光部で受光する原稿からの反射光の光量を確保できる。つまり、遮光層の厚さが、受光部が配設されるピッチの０．３倍より薄い場合には、本来受光すべき受光部とは異なる受光部の方向に原稿からの反射光が向かった場合でも、この反射光を遮光するのが困難になる場合がある。また、遮光層の厚さが、受光部が配設されるピッチの１倍より厚い場合には、受発光層と原稿との距離が大きくなり過ぎる場合があり、受発光層の発光部からの光が原稿に到達した際の光量や、原稿で反射した反射光を受光部で受ける場合の反射光の光量が低下する場合がある。このため、原稿で反射した反射光を受光部で受ける際に、光量が少ないことに起因して、読み取った画像が暗くなる場合がある。従って、遮光層を、受光部が配設されるピッチの０．３〜１倍の厚さで設けることにより、反射光が反射した位置に対向している受光部とは異なる受光部に向かう反射光を、より確実に遮光することができ、また、受光部で受光する原稿からの反射光の光量を、より確実に確保することができる。この結果、より確実に鮮明に原稿を読み取ることができる。
【００１６】
また、上記画像読取機器において、前記遮光層は、前記遮光部以外の部分であると共に、前記反射光を透過する透過部を有しており、前記遮光部は、屈折率が前記透過部の屈折率よりも相対的に小さいことが好ましい。
【００１７】
この発明では、遮光層に透過部を設け、遮光部の屈折率を透過部の屈折率よりも相対的に小さくしているので、効率よく、所望の方向にのみ光を向かわせることができる。つまり、異なる受光部に対向する位置の原稿から受光部への反射光が遮光層を通過する際に、遮光層の透過部に入り込んだ反射光のうち遮光部に向かう反射光は、屈折率が透過部の屈折率よりも相対的に小さくなっている遮光部と透過部との屈折率の差により、透過部と遮光部との境界部分で反射する。これにより、この反射光は遮光部には入り込まず、透過部と遮光部との境界部分で反射して透過部の方向に戻るため、受光部が、当該受光部に対向している部分以外の位置の原稿からの反射光を受光することを抑制することができる。また、透過部に入り込んだ反射光は、このように透過部と遮光部との境界部分で反射するが、その際には全反射が行われる。このため、発光部で発した光が原稿に向かう際に、より多くの光を原稿に到達させることができ、より多くの反射光によって原稿の画像を読み取ることができる。この結果、読み取る画像を明るくすることができ、より鮮明に原稿を読み取ることができる。
【００１８】
また、上記画像読取機器において、前記遮光部は、隣り合う前記遮光部同士のピッチが、前記受光部が配設されるピッチよりも小さいピッチで設けられていることが好ましい。
【００１９】
この発明では、隣り合う遮光部同士のピッチを、受発光層の受光部が配設されるピッチよりも小さいピッチで配設するため、隣り合う遮光部同士の間の部分は、受光部に対向する場合でも１つの受光部にのみ対向し、複数の受光部に跨っては対向しない。このため、発光部で発した光が、遮光層における隣り合う遮光部同士の間の部分に入り込んだ場合、この光が原稿で反射した場合における反射光は、同じ遮光部同士の間の部分を通って、これらに対向する１つの受光部にのみ到達する。従って、原稿で反射した反射光を受光部で受光する場合、異なる受光部に対向する位置の原稿からの受光部への反射光は受光せず、受光部に対向する位置の原稿からの反射光のみを受光することができる。これにより、受光部に対向している位置以外の位置で反射した反射光を受光することに起因する画質の劣化を抑制することができる。この結果、より鮮明に原稿を読み取ることができる。
【００２０】
また、上述した課題を解決し、目的を達成するために、本発明に係る密着型撮像装置は、ヒンジによって相対的に開閉可能に設けられた第１本体部と第２本体部とを有すると共に、前記第１本体部と前記第２本体部とには、双方を閉じた際に互いに対向するそれぞれの面に請求項１〜６のいずれか１項に記載の画像読取機器が設けられており、前記原稿の画像を読み取る際には、前記第１本体部と前記第２本体部とを閉じることにより前記第１本体部と前記第２本体部との間に前記原稿を挟み込み、双方に設けられた前記画像読取機器により前記原稿の両面の画像を読み取ることが可能に設けられていることを特徴とする。
【００２１】
この発明では、相対的に開閉可能な第１本体部と第２本体部とに、上述した画像読取機器をそれぞれ設け、原稿の画像を読み取る際には、第１本体部と第２本体部との間に原稿を挟み込んで、原稿の両面から画像を読み取っている。これにより、原稿の両面をほぼ同時に、且つ、鮮明に読み取ることができる。この結果、より鮮明に原稿を撮像することができる。
【発明の効果】
【００２２】
本発明に係る画像読取機器は、より鮮明に原稿を読み取ることができる、という効果を奏する。また、本発明に係る密着型撮像装置は、より鮮明に原稿を撮像することができる、という効果を奏する。
【図面の簡単な説明】
【００２３】
【図１】図１は、実施形態に係る薄型スキャナの外観を示す図であり、蓋部を閉じた状態を示す図である。
【図２】図２は、図１に示す薄型スキャナの蓋部を開いた状態を示す図である。
【図３】図３は、図２に示す画像読取部の構成を示す断面図である。
【図４】図４は、図３に示す画像読取部の斜視図である。
【図５】図５は、図１に示す薄型スキャナの構成の概略を示す図である。
【図６】図６は、原稿の画像を読み取る場合における説明図である。
【図７】図７は、画像読取部で原稿の画像を読み取る場合における説明図である。
【図８】図８は、遮光層の変形例を示す説明図である。
【図９】図９は、図８に示す遮光層を備える画像読取部で原稿の画像を読み取る場合における説明図である。
【図１０】図１０は、変形例に係る薄型スキャナの斜視図である。
【図１１】図１１は、変形例に係る薄型スキャナの斜視図である。
【図１２】図１２は、図１０に示す薄型スキャナの構成の概略を示す図である。
【発明を実施するための形態】
【００２４】
以下に、本発明に係る画像読取機器及び密着型撮像装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００２５】
〔実施形態〕
図１は、実施形態に係る薄型スキャナの外観を示す図であり、蓋部を閉じた状態を示す図である。図２は、図１に示す薄型スキャナの蓋部を開いた状態を示す図である。本発明に係る密着型撮像装置の一例である実施形態に係る薄型スキャナ１は、共に薄型の略直方体、或いは略板状に形成された第１本体部である蓋部５と第２本体部である本体部６とを有しており、蓋部５と本体部６とは、双方の一辺がヒンジ８によって接続されている。これにより、蓋部５と本体部６とは、相対的に開閉可能に設けられている。また、これらの蓋部５と本体部６は、共に金属製の筐体を有しており、この蓋部５と本体部６とには、画像を読み取る画像読取機器である画像読取部１０が設けられている。詳しくは、蓋部５には、蓋部５を閉じた際における本体部６側の面に第１画像読取部１１が設けられ、本体部６には、蓋部５を閉じた際における蓋部５側の面に第２画像読取部１２が設けられている。これらの第１画像読取部１１と第２画像読取部１２とは、蓋部５と本体部６とを閉じた際に、重なり合う位置に配設されている。
【００２６】
また、蓋部５には、第１画像読取部１１が設けられている側の面の反対側の面に、画像表示部１５が設けられている。この画像表示部１５は、液晶パネルによって設けられており、任意の画像が表示可能になっている。また、この画像表示部１５には、表示された画像に応じて当該画像表示部１５を触れることにより入力操作を行うことができる、いわゆるタッチパネルが設けられており、画像表示部１５は、タッチパネル付き液晶パネルになっている。このため、画像表示部１５は、操作入力部としての機能も兼ね備えており、例えば、原稿の撮像の開始を行う際の指示の入力を行うスタートボタンとしての機能を備えている。
【００２７】
また、蓋部５や本体部６には、機械式センサや磁気センサ、または光センサ等により、双方の開閉の検出が可能な開閉検出機構（図示省略）が設けられている。
【００２８】
図３は、図２に示す画像読取部の構成を示す断面図である。図４は、図３に示す画像読取部の斜視図である。第１画像読取部１１と第２画像読取部１２との双方の画像読取部１０は、共に図３、図４に示すような同様な構成で設けられている。この画像読取部１０は、バックライト３５と、このバックライト３５上に設けられる透明なガラス基板２１と、ガラス基板２１上に所定の間隔で二次元配列状に複数が配設される受光部である受光素子２５と、複数の受光素子２５の受光面が位置する側に設けられる遮光層３０とが、積層されて設けられている。このうち、バックライト３５は、光源であるＬＥＤ（Ｌｉｇｈｔ  Ｅｍｉｔｔｉｎｇ  Ｄｉｏｄｅ）３８と、このＬＥＤ３８で発した光をガラス基板２１全体に導く導光板３６及び反射板３７と、を備えている。
【００２９】
このように、光源としてＬＥＤ３８が用いられる画像読取部１０では、ＬＥＤ３８をＲ（Ｒｅｄ）、Ｇ（Ｇｒｅｅｎ）、Ｂ（Ｂｌｕｅ）の３色とし、順次発光して画像を読み取り、読み取った画像を合成することでカラー画像を得ることができる。なお、ＬＥＤ３８をＲＧＢ３色にする代わりに、受光素子２５にＲＧＢのカラーフィルターを備えることでも、カラー化が可能になる。
【００３０】
また、バックライト３５が有する光源は、本実施形態に係る薄型スキャナ１ではＬＥＤ３８を用いているが、この光源はＬＥＤ３８以外のものを用いてもよく、例えば、ＣＣＦＬ（Ｃｏｌｄ  Ｃａｔｈｏｄｅ  Ｆｌｕｏｒｅｓｃｅｎｔ  Ｌａｍｐ）等の光源を用いてもよい。
【００３１】
また、ガラス基板２１上に配設される受光素子２５は、詳しくはガラス基板２１におけるバックライト３５が位置する側の反対側の面に配設されており、さらに、ガラス基板２１上には、受光素子２５で受光した際における電気信号の伝達等を行う電気回路である回路パターン２８が設けられている。この回路パターン２８は、所定の間隔で配列された受光素子２５同士の間に設けられており、受光素子２５からは離間して配設されている。また、このように受光素子２５同士の間に設けられる回路パターン２８は、複数設けられる受光素子２５からの電気信号の伝達を行うように設けられているため、回路パターン２８において隣り合う経路同士のピッチは、隣り合う受光素子２５同士のピッチＰ１と同ピッチになっている。
【００３２】
また、バックライト３５は、ガラス基板２１における受光素子２５や回路パターン２８が位置する側の反対側に設けられているが、このバックライト３５は、ＬＥＤ３８の発光時に、ＬＥＤ３８で発した光を導光板３６と反射板３７とによってガラス基板２１全体に導くことが可能になっており、また、ガラス基板２１は透明な部材により設けられている。これらのため、ＬＥＤ３８の発光時、即ち、バックライト３５の発光時には、バックライト３５からの光はガラス基板２１を透過し、受光素子２５と回路パターン２８との間から、遮光層３０の方向に照射される。
【００３３】
このように、透明に設けられるガラス基板２１上における受光素子２５と回路パターン２８との間の部分は、バックライト３５の発光時に、この光を用いて遮光層３０に対して発光可能な発光部２６として設けられている。つまり、ガラス基板２１上に配設される受光素子２５同士は離間しており、回路パターン２８と受光素子２５とも離間しているので、発光部２６は、各受光素子２５の周囲にそれぞれ設けられた状態になっている。また、これらのようにガラス基板２１には受光素子２５が設けられていると共に発光部２６も設けられており、このため、受光素子２５を含めたガラス基板２１からなる層は、受光と発光とが可能な受発光層２０として設けられている。
【００３４】
また、遮光層３０は、受発光層２０における受光素子２５や回路パターン２８が配設されている側に設けられており、この遮光層３０は、遮光部である遮光壁３１を有している。この遮光壁３１は、遮光層３０の厚さ方向に形成されると共に、受発光層２０における受光素子２５が設けられている側の面を区画するように形成されている。詳しくは、遮光壁３１は、複数設けられる受光素子２５を個々に区分けするように、不透明な部材によって設けられており、さらに詳しくは、概ね受発光層２０の回路パターン２８の幅より狭い厚さで、回路パターン２８上に配設されている。
【００３５】
また、回路パターン２８は、当該回路パターン２８における隣り合う経路同士のピッチが、隣り合う受光素子２５同士のピッチＰ１と同ピッチになっているため、遮光壁３１において隣り合って配設されている部分同士のピッチＰ２も、受光素子２５同士のピッチＰ１と同ピッチになっている。
【００３６】
また、回路パターン２８と受光素子２５とは離間して設けられており、回路パターン２８と受光素子２５との間には発光部２６が位置しているため、遮光壁３１により区分けされた各区画には、受光素子２５と発光部２６とが配設されている。さらに、この遮光壁３１は、各壁面が鏡面になって形成されている。
【００３７】
このように形成される遮光壁３１を有する遮光層３０は、厚さが、受光素子２５が配設されるピッチＰ１の０．３〜１倍の範囲内の厚さとなって設けられている。つまり、遮光壁３１は、隣り合う受光素子２５同士のピッチＰ１の０．３〜１倍の範囲内の高さとなって形成されている。
【００３８】
これらのように設けられる薄型スキャナ１は、当該薄型スキャナ１を制御する回路が搭載された主制御基板６０（図５参照）により、各種の作動が制御可能に設けられており、この主制御基板６０は、本体部６に搭載されている。
【００３９】
また、本実施形態に係る薄型スキャナ１は、ＩＣ（Ｉｎｔｅｇｒａｔｅｄ  Ｃｉｒｃｕｉｔ）を組み込み、非接触で情報の読み書きを行うことができるＩＣカードであるＮＦＣ（Ｎｅａｒ  Ｆｉｅｌｄ  Ｃｏｍｍｕｎｉｃａｔｉｏｎ）カードを原稿として当該薄型スキャナ１で画像を読み取る場合に、ＮＦＣカードとの間で通信を行うことができる通信機能を備えている。このため、本実施形態に係る薄型スキャナ１は、ＮＦＣカードと通信可能なＮＦＣアンテナ４０（図５、図６参照）を搭載しており、ＮＦＣアンテナ４０は本体部６に内設されている。
【００４０】
図５は、図１に示す薄型スキャナの構成の概略を示す図である。この薄型スキャナ１を制御可能な主制御基板６０には、処理部、記憶部及び入出力部が設けられており、このうち処理部には、各種の演算処理を行うＣＰＵ（Ｃｅｎｔｒａｌ  Ｐｒｏｃｅｓｓｉｎｇ  Ｕｎｉｔ）７０が設けられている。
【００４１】
また、処理部は、第１画像読取部１１による画像の読み取りの制御を行う第１画像読取部制御部７１と、第１画像読取部１１で読み取った画像を取り込む第１読取画像取込部７２と、第２画像読取部１２による画像の読み取りの制御を行う第２画像読取部制御部７５と、第２画像読取部１２で読み取った画像を取り込む第２読取画像取込部７６と、画像表示部１５での画像表示の制御を行う画像表示制御部８０と、画像表示部１５に対して行われた入力操作を取得する入力操作取得部８１と、開閉検出機構での検出結果に基づいて蓋部５と本体部６との開閉を検出する開閉検出部８５と、ＮＦＣアンテナ４０によるＮＦＣカードとの通信の制御を行うＮＦＣ制御部９０と、を有している。
【００４２】
この実施形態に係る薄型スキャナ１は、以上のごとき構成からなり、以下、その作用について説明する。図６は、原稿の画像を読み取る場合における説明図である。この薄型スキャナ１は、通常の使用時には、第２画像読取部１２（図２）側を上方に向ける向きで本体部６を下側に位置させ、第２画像読取部１２に対して相対的に開閉可能な蓋部５を、本体部６に対する蓋として使用する。このように設けられる薄型スキャナ１で、原稿１００の画像を読み取る場合について説明すると、まず蓋部５を開いた状態で、本体部６に設けられる第２画像読取部１２の上に原稿１００を置き、この状態でヒンジ８を回動中心として蓋部５を閉じる。これにより、原稿１００は蓋部５と本体部６とで挟み込まれ、第１画像読取部１１（図２）と第２画像読取部１２に挟み込まれた状態になる。即ち、原稿１００の両面に、画像読取部１０（図２）が位置する状態になる。
【００４３】
このように蓋部５と本体部６とを閉じると、開閉検出部８５（図５）は、双方が閉じた状態であることを検出する。このように、蓋部５と本体部６とが閉じた状態であることを開閉検出部８５で検出すると、自動的に、または、画像表示部１５（図１）への所定の入力操作によって、薄型スキャナ１は、原稿１００の画像を画像読取部１０によって読み取る制御を行う。この画像読取制御を行う場合は、第１画像読取部制御部７１（図５）で第１画像読取部１１を制御し、第２画像読取部制御部７５（図５）で第２画像読取部１２を制御する。これにより、画像読取部１０は、画像の読み取りを開始する。
【００４４】
第１画像読取部１１や第２画像読取部１２で読み取った原稿１００の画像は、第１読取画像取込部７２（図５）や第２読取画像取込部７６（図５）で取り込み、画像表示制御部８０（図５）で画像表示部１５を制御することにより、画像表示部１５で表示する。このように、画像表示部１５で表示した原稿１００の画像を薄型スキャナ１の使用者が視認し、使用者が任意のタイミングで、画像表示部１５の１つの機能であるスタートボタンへの入力操作を行うと、薄型スキャナ１は、第１読取画像取込部７２や第２読取画像取込部７６で取り込んだ画像を記憶部に記憶する。つまり、第１画像読取部１１や第２画像読取部１２で読み取った画像を保存し、これにより原稿１００の画像を撮像する。
【００４５】
図７は、画像読取部で原稿の画像を読み取る場合における説明図である。薄型スキャナ１の使用時には、これらのように第１画像読取部１１や第２画像読取部１２、即ち、画像読取部１０で原稿１００の画像を読み取るが、次に、画像読取部１０で原稿１００の画像を読み取る場合における詳細な作用について説明する。画像読取部１０で原稿１００の画像を読み取る場合は、画像読取部１０のバックライト３５が有するＬＥＤ３８を発光させる。ＬＥＤ３８で発した光は導光板３６で当該導光板３６全体に導かれ、また、反射板３７が位置している部分では、反射板３７によって反射する。このため、ＬＥＤ３８で発した光は、バックライト３５における反射板３７が位置している側の面の反対側の面から出光し、受発光層２０を照射する。即ち、画像の読み取り時には、ＬＥＤ３８を発光させることにより、バックライト３５で受発光層２０を照射する。
【００４６】
バックライト３５によって受発光層２０を照射した場合、バックライト３５からの光は受発光層２０が有するガラス基板２１を透過し、発光部２６から遮光層３０に向けて出光する。即ち、バックライト３５が受発光層２０に向けて照射した光は、受発光層２０のガラス基板２１を透過し、ガラス基板２１におけるバックライト３５が位置する側の面の反対側の面において、受光素子２５や回路パターン２８が配設されていない部分である発光部２６から遮光層３０に向けて出光し、遮光層３０に対して照射する。
【００４７】
遮光層３０において受発光層２０の発光部２６が位置する部分には、遮光壁３１が配設されていないため、発光部２６から遮光層３０に対して照射された光は、遮光層３０を通過する。
【００４８】
バックライト３５からの光は、このように遮光層３０を通過するが、画像読取部１０で原稿１００の画像を読み取る場合は、原稿１００は第１画像読取部１１と第２画像読取部１２とによって挟み込んで読み取る。このため原稿１００は、遮光層３０における受発光層２０が位置する側の反対側に位置する状態になる。従って、受発光層２０の発光部２６から照射して遮光層３０を通過した光は、原稿１００に到達する。原稿１００に到達した光は、原稿１００で反射をするが、その際に、原稿１００の表面の色など表面の状態に応じた反射光となって反射をする。
【００４９】
原稿１００で反射した光は、遮光層３０の方向に向かって反射し、遮光層３０において遮光壁３１が設けられている部分以外の部分を通って受発光層２０に向かう。受発光層２０に向かった反射光は、受発光層２０における受光素子２５や発光部２６が位置している側の面から受発光層２０に到達する。これにより、受光素子２５は、原稿１００で反射した反射光を受光する。
【００５０】
原稿１００で反射した反射光は、原稿１００の表面の状態に応じた反射光になっており、受光素子２５は、受光した光に応じて電気信号を発生可能に設けられている。このため、原稿１００で反射した反射光を受光した受光素子２５は、受光した反射光が反射をした原稿１００の表面の状態に応じた電気信号を発生する。このように受光素子２５で発生した電気信号は、第１読取画像取込部７２や第２読取画像取込部７６に伝達され、これらの部分で取り込まれる。
【００５１】
つまり、第１画像読取部１１が有する受光素子２５で原稿１００からの反射光を受光することにより発生した電気信号は第１読取画像取込部７２に伝達され、第２画像読取部１２が有する受光素子２５で原稿１００からの反射光を受光することにより発生した電気信号は第２読取画像取込部７６に伝達される。第１読取画像取込部７２や第２読取画像取込部７６は、第１画像読取部１１や第２画像読取部１２が有する複数の受光素子２５からの電気信号を取得することにより、原稿１００における第１画像読取部１１や第２画像読取部１２のそれぞれが面している側の原稿１００の画像情報を取得する。つまり、原稿１００の一方の面を第１画像読取部１１で読み取り、他方の面を第２画像読取部１２で読み取ることにより、原稿１００の両面を画像読取部１０で読み取る。
【００５２】
画像読取部１０では、第１画像読取部１１と第２画像読取部１２とで挟み込んだ原稿１００の画像を、このようにして読み取るが、原稿１００を挟み込んだ際における状態によっては、原稿１００が画像読取部１０から浮いた状態になる場合がある。つまり、原稿１００の画像を画像読取部１０で読み取る際に、図７に示す原稿浮き上がり部１０５のように、読み取る原稿１００が遮光層３０から離間した状態になる場合がある。
【００５３】
画像読取部１０で原稿１００の画像を読み取る際には、バックライト３５で発した光を原稿１００で反射し、この反射光を受光素子２５で受光することによって読み取るが、原稿浮き上がり部１０５は、受光素子２５からの距離が、遮光層３０に密着した部分の原稿１００と受光素子２５との間の距離よりも離れている。このため、原稿浮き上がり部１０５で反射した反射光は拡散し易くなっている。つまり、原稿１００で反射した反射光は拡散しながら遮光層３０の方向に向かうため、原稿１００からの距離が大きくなるに従って、反射光の広がりは大きくなる。このため、原稿浮き上がり部１０５で反射した反射光は、遮光層３０に密着している部分の原稿１００で反射した反射光よりも、広がりが大きくなるが、遮光層３０には遮光壁３１が設けられている。これにより、原稿浮き上がり部１０５で反射した反射光が遮光層３０に到達した場合、広がろうとする反射光は遮光壁３１により遮られ、反射光はそれ以上広がらなくなる。
【００５４】
また、遮光壁３１は壁面が鏡面になって形成されている。このため、遮光壁３１に当たった原稿からの反射光は、遮光壁３１の壁面で反射する。このように遮光壁３１の壁面で反射した光は、遮光壁３１で区画されている部分の内側に向かう。遮光壁３１で区画されている部分には、それぞれの部分に受光素子２５が配設されているので、遮光壁３１の壁面で反射した光は、この区画されている部分に配設されている受光素子２５で受光する。このように受光素子２５で受光した光は、原稿１００において当該受光素子２５に対向した位置で反射した反射光になっている。
【００５５】
つまり、遮光壁３１は、原稿１００からの反射光のうち、異なる受光素子２５に対向する位置の原稿１００からの受光素子２５への反射光を遮光する。このため受光素子２５は、原稿１００において受光素子２５に対向していない部分で反射した反射光は受光せず、受光素子２５に対向している部分で反射した反射光を受光する。このため、受光素子２５で受光した際に発生する電気信号は、各受光素子２５において、対向する位置の原稿１００で反射した反射光により発生する電気信号になるため、受光素子２５で発生する電気信号には、それぞれの受光素子２５において対向していない位置の原稿１００で反射した反射光による成分は含まれなくなる。
【００５６】
従って、蓋部５と本体部６とで挟み込んだ原稿１００の画像を画像読取部１０で読み取る場合には、原稿１００の異なる位置同士の反射光を同じ受光素子２５で受光せず、原稿１００の位置ごとに受光素子２５を的確に対応させて受光することにより、原稿１００の位置ごとの画像を的確に読み取る。これらのため、受光素子２５で発生した電気信号によって第１読取画像取込部７２や第２読取画像取込部７６で取り込む原稿１００の画像情報は、原稿１００の異なる位置同士の画像情報が混ざり合うことがなく、原稿１００におけるそれぞれの位置ごとに明確な画像情報になる。
【００５７】
以上の画像読取部１０は、受発光層２０に受光素子２５と発光部２６とが設けられているため、原稿１００の画像を読み取る際には発光部２６から原稿１００に対して光を発し、原稿１００で反射した反射光を受光素子２５で受光することにより、原稿１００の画像を読み取ることができる。さらに、このように反射光を受光素子２５で受光する際に、異なる受光素子２５に対向する位置の原稿１００から受光素子２５への反射光を、遮光層３０に設けられた遮光壁３１によって遮光しているので、受光素子２５が、当該受光素子２５に対向している部分以外の位置の原稿１００からの反射光を受光することを抑制することができる。これにより、原稿１００からの反射光を受光素子２５で受光することによって原稿１００の画像を読み取る際に、受光素子２５に対向している位置以外の位置で反射した反射光を受光することに起因する画質の劣化を抑制することができる。このため、例えば、画像読取部１０で画像を読み取る原稿１００が画像読取部１０に密着しておらず、画像読取部１０から浮いている場合であっても、読み取った画像の画質が不鮮明になることを抑制することができる。この結果、より鮮明に原稿１００を読み取ることができる。
【００５８】
また、遮光壁３１の壁面が鏡面になっているので原稿１００からの反射光を遮光壁３１で遮光した際に、遮光した反射光を壁面で反射させて受光素子２５の方向へ向かわすことができる。つまり、遮光壁３１は、原稿１００で反射した反射光のうち、反射した部分に対向している受光素子２５とは異なる受光素子２５の方向に向かう反射光を遮光するが、遮光壁３１の壁面を鏡面にすることにより、遮光した光を遮光壁３１で吸収せずに反射することができる。これにより、反射光が反射した部分に対向している受光素子２５とは異なる受光素子２５の方向に向かっている反射光を、反射光が反射した部分に対向している受光素子２５の方向に向かわせることができる。これにより、原稿１００で反射した反射光を受光素子２５で受光する際に、受光素子２５に対向している部分からの反射光の光量を増加させて受光することができる。この結果、読み取る画像を明るくすることができ、より鮮明に原稿１００を読み取ることができる。
【００５９】
また、遮光壁３１は、隣り合う遮光壁３１同士のピッチＰ２が、受光素子２５が配設されるピッチＰ１と同ピッチになっているので、複数の受光素子２５を遮光壁３１によって１つずつ区分けすることができる。これにより、原稿１００からの反射光を受光素子２５で受光する際に、それぞれの受光素子２５に対向している部分以外の位置で反射した反射光を、より確実に遮光壁３１によって遮光することができる。この結果、それぞれの受光素子２５に対向している位置以外の位置で反射した反射光を受光することを、より確実に抑制することができ、より確実に鮮明に原稿１００を読み取ることができる。
【００６０】
また、遮光層３０を、受光素子２５が配設されるピッチＰ１の０．３〜１倍の厚さで設けることにより、適切ではない方向に向かう反射光を遮光しつつ、受光素子２５で受光する原稿１００からの反射光の光量を確保できる。つまり、遮光層３０の厚さが、受光素子２５が配設されるピッチＰ１の０．３倍より薄い場合には、本来受光すべき受光素子２５とは異なる受光素子２５の方向に原稿１００からの反射光が向かった場合でも、この反射光を遮光するのが困難になる場合がある。また、遮光層３０の厚さが、受光素子２５が配設されるピッチＰ１の１倍より厚い場合には、受発光層２０と原稿１００との距離が大きくなり過ぎる場合があり、受発光層２０の発光部２６からの光が原稿１００に到達した際の光量や、原稿１００で反射した反射光を受光素子２５で受ける場合の反射光の光量が低下する場合がある。このため、原稿１００で反射した反射光を受光素子２５で受ける際に、光量が少ないことに起因して、読み取った画像が暗くなる場合がある。従って、遮光層３０を、受光素子２５が配設されるピッチＰ１の０．３〜１倍の厚さで設けることにより、反射光が反射した位置に対向している受光素子２５とは異なる受光素子２５に向かう反射光を、より確実に遮光することができ、また、受光素子２５で受光する原稿１００からの反射光の光量を、より確実に確保することができる。この結果、より確実に鮮明に原稿１００を読み取ることができる。
【００６１】
また、遮光層３０の遮光壁３１は、受発光層２０の回路パターン２８上に配設されているため、バックライト３５で発した光量を低減させることなく、受光素子２５に向かう不適切な光を遮光することができる。つまり、回路パターン２８は、受発光層２０のガラス基板２１上の設けられているため、バックライト３５で発した光がガラス基板２１を透過して原稿１００の方向に向かう場合、この光の一部は回路パターン２８によって遮られる。このため、遮光壁３１を設ける際に、バックライト３５で発した光の進行方向における回路パターン２８の原稿１００側の部分に配設することにより、遮光壁３１を設けることに起因してガラス基板２１を透過して原稿１００の方向に向かう光の量が低下することを抑制できる。この結果、読み取る画像の明るさを確保しつつ、より鮮明に原稿１００を読み取ることができる。
【００６２】
また、以上の薄型スキャナ１は、開閉可能な蓋部５と本体部６とに画像読取部１０をそれぞれ設け、原稿１００の画像を読み取る際には、蓋部５と本体部６との間に原稿１００を挟み込んで、原稿１００の両面から画像を読み取っている。これにより、原稿１００の両面を同時に、且つ、鮮明に読み取ることができる。なお、第１画像読取部１１や第２画像読取部１２で画像を読み取る場合には、一方の画像読取部１０で画像を読み取った後、他方の画像読取部１０で画像を読み取るので、厳密は同時ではないが、これらは連続して行われる。従って、蓋部５と本体部６とに画像読取部１０をそれぞれ設けることにより、原稿１００の両面をほぼ同時に読み取ることができる。この結果、より鮮明に原稿１００を撮像することができる。
【００６３】
また、原稿１００を撮像する際には、原稿１００を蓋部５と本体部６とで挟み込んで撮像するので、より確実に原稿の浮き上がりを抑制した状態で、画像読取部１０で原稿１００の画像を鮮明に読み取ることができる。この結果、より確実に鮮明に原稿１００を撮像することができる。
【００６４】
なお、上述した薄型スキャナ１では、画像読取部１０が有する遮光層３０では、遮光壁３１が設けられていない部分は、他の部材が配設されておらず、空気層となっているが、この部分にも他の部材を設けてもよい。図８は、遮光層の変形例を示す説明図である。遮光層３０は、例えば図８に示すように、遮光部である反射部１２０が、格子状の形状で設けられており、遮光層３０における反射部１２０が設けられていない部分には、透明なガラスやアクリル系樹脂など少なくとも可視光を透過させる透明な部材により形成される透過部１２１を配設してもよい。さらに、この場合、反射部１２０は、屈折率が透過部１２１の屈折率よりも相対的に小さい、低屈折率の光吸収素材によって形成してもよい。つまり、個々の透過部１２１を覆うように、低屈折率の反射部１２０が設けられており、換言すると、大きな透過部１２１が、格子状の反射部１２０でブロック状に区切られている。また、このように、遮光層３０に透過部１２１を設け、反射部１２０を低屈折率の光吸収素材により形成した場合には、隣り合う反射部１２０同士のピッチＰ３を、受発光層２０の受光素子２５が配設されるピッチＰ１よりも小さいピッチにして配設するのが好ましい。
【００６５】
図９は、図８に示す遮光層を備える画像読取部で原稿の画像を読み取る場合における説明図である。このように、低屈折率の反射部１２０と透明な透過部１２１とを有する遮光層３０を備える画像読取部１０で画像を読み取る場合、発光部２６から発した光が原稿１００で反射することによる反射光は、隣り合う反射部１２０同士の間の部分に位置する透過部１２１を透過して受発光層２０に向かう。このように、反射光が透過部１２１を透過して受発光層２０に向かう場合、屈折率が透過部１２１の屈折率よりも相対的に小さくなっている反射部１２０と透過部１２１との屈折率の差により、反射光は、反射部１２０と透過部１２１との境界部分で反射する。詳しくは、透過部１２１に入り込み、透過部１２１から反射部１２０に到達した反射光のうち、一定の入射角以上の反射光は、反射部１２０で全反射する。一方、透過部１２１から反射部１２０に到達した反射光のうち、入射角が小さい反射光は、反射部１２０に進入するが、反射部１２０は光吸収素材により形成されている。このため、反射部１２０に進入した反射光は、反射部１２０で吸収されるため反射部１２０を透過せず、この反射光は隣接する他の透過部１２１には到達しない。このため、透過部１２１に入り込み、透過部１２１を透過する反射光は、直接、または反射部１２０の外側部分で反射しながら、受発光層２０に向かう。
【００６６】
これらのため、原稿１００で反射した反射光のうち、透過部１２１に入り込んで透過部１２１を透過する反射光は、原稿１００において、透過部１２１に対向している範囲内に位置する部分の反射光になり、この透過部１２１から受発光層２０に到達する反射光は、受発光層２０において、この透過部１２１に対向している範囲内に到達する。このため、換言すると、透過部１２１を通って受発光層２０に到達する反射光は、透過部１２１に対向している範囲の原稿１００から、当該透過部１２１に対向している範囲の受発光層２０に到達する。
【００６７】
ここで、遮光層３０に複数設ける反射部１２０は、ピッチＰ３が受発光層２０の受光素子２５が配設されるピッチＰ１よりも小さいピッチになって配設されている。このため、反射部１２０で区切られた１つの透過部１２１は、受光素子２５に対向している場合でも１つの受光素子２５にのみ対向しており、複数の受光素子２５に跨って対向してはいない。このため、発光部２６で発した光が透過部１２１に進入した場合、この光が原稿１００で反射した場合における反射光は、同じ透過部１２１を通って、これらに対向する１つの受光素子２５にのみ到達する。
【００６８】
従って、原稿１００で反射した反射光を受光素子２５で受光することにより原稿１００の画像を読み取る場合、異なる受光素子２５に対向する位置の原稿１００から受光素子２５への反射光は受光せず、受光素子２５に対向する位置の原稿１００からの反射光のみを受光することができる。これにより、受光素子２５に対向している位置以外の位置で反射した反射光を受光することに起因する画質の劣化を抑制することができ、画像読取部１０で画像を読み取る原稿１００が画像読取部１０から浮いている場合であっても、読み取った画像の画質が不鮮明になることを抑制することができる。この結果、より鮮明に原稿１００を読み取ることができる。
【００６９】
また、遮光層３０に透過部１２１を設け、反射部１２０の屈折率を透過部１２１の屈折率よりも相対的に小さくしているので、効率よく、所望の方向にのみ光を向かわせることができる。つまり、透過部１２１に入り込んだ反射光は、反射部１２０と透過部１２１との屈折率の差により、透過部１２１と反射部１２０との境界部分で反射するが、その際に、反射部１２０への入射角が一定の入射角以上の場合には、全反射が行われる。このため、発光部２６で発した光が原稿１００に向かう際に、より多くの光を原稿１００に到達させることができ、より多くの反射光によって原稿１００の画像を読み取ることができる。この結果、読み取る画像を明るくすることができ、より鮮明に原稿１００を読み取ることができる。
【００７０】
また、上述した薄型スキャナ１は、共に画像読取部１０を備える蓋部５と本体部６とを有しており、これらがヒンジ８を介して接続されることにより、原稿１００を蓋部５と本体部６で挟み込んで原稿１００の画像を読み取ることができるが、原稿１００を挟み込むように設けられていなくてもよい。
【００７１】
図１０、図１１は、変形例に係る薄型スキャナの斜視図である。例えば、薄型スキャナ１３０は、図１０、図１１に示すように、薄型の略直方体、或いは略板状の形状で形成された１つの本体部１３５のみにより設けられ、この本体部１３５の一方の面に画像表示部１５が設けられ、他方の面に画像読取部１０が設けられていてもよい。これらの画像読取部１０及び画像表示部１５の構成や機能は、実施形態に係る薄型スキャナ１に設けられる画像読取部１０及び画像表示部１５と同様な形態となって設けられている。
【００７２】
図１２は、図１０に示す薄型スキャナの構成の概略を示す図である。このように、薄型スキャナ１３０を１つの本体部１３５のみにより形成し、画像読取部１０も１つのみ設ける場合も、薄型スキャナ１３０には、当該薄型スキャナ１３０の各部を制御する主制御基板６０が設けられている。また、主制御基板６０には、処理部、記憶部及び入出力部が設けられ、処理部にはＣＰＵ７０が設けられている。また、処理部は、画像読取部１０による画像の読み取りの制御を行う画像読取部制御部１４１と、画像読取部１０で読み取った画像を取り込む読取画像取込部１４２と、画像表示制御部８０と、入力操作取得部８１と、を有している。
【００７３】
なお、この薄型スキャナ１３０では、実施形態に係る薄型スキャナ１に設けられるようなＮＦＣアンテナ４０（図５、図６）は設けられていないが、実施形態に係る薄型スキャナ１と同様にＮＦＣアンテナ４０を設けてもよい。この場合、主制御基板６０の処理部には、実施形態に係る薄型スキャナ１の主制御基板６０と同様に、ＮＦＣ制御部９０（図５）が設けられる。
【００７４】
これらのように形成される薄型スキャナ１３０で原稿１００の画像を読み取る際には、読み取る原稿１００における読み取る側の面に、当該薄型スキャナ１３０の画像読取部１０を対向させる。このように原稿１００に画像読取部１０を対向させた状態で、または、対向させる前に、画像表示部１５に所定の入力操作を行うと、画像読取部制御部１４１で画像読取部１０を制御することにより、画像読取部１０での読み取りを開始する。
【００７５】
画像読取部１０で読み取った画像は読取画像取込部１４２で取り込み、画像表示制御部８０で画像表示部１５を制御することにより、読み取った画像を画像表示部１５で表示する。このように、画像表示部１５で表示した画像を薄型スキャナ１３０の使用者が視認し、スタートボタンへの入力操作を行うと、薄型スキャナ１３０は、読取画像取込部１４２で取り込んだ画像を記憶部に記憶し、原稿１００の画像を撮像する。
【００７６】
このように、原稿１００の読み取り時に原稿１００を挟み込まない形態にする場合でも、画像を読み取る部分として、遮光層３０が設けられる画像読取部１０を用いることにより、原稿１００が浮き上がった状態でも、鮮明に原稿１００を読み取ることができる。
【００７７】
特に、このように原稿１００を挟み込まない状態で原稿１００と画像読取部１０とを近接させ、この状態で原稿１００の画像を読み取る場合、原稿１００には原稿浮き上がり部１０５（図７）が発生し易くなるが、原稿１００が浮き上がり易い状態で画像を読み取る場合でも、鮮明に原稿１００を読み取ることができる。
【００７８】
また、このように、原稿１００を鮮明に読み取ることができるため、原稿１００に対して薄型スキャナ１３０を近接することによって原稿１００の撮像する際に、鮮明に撮像することができ、鮮明な画像を得ることができる。
【００７９】
また、実施形態に係る薄型スキャナ１は、ＮＦＣアンテナ４０が設けられ、ＮＦＣカードとの通信が可能に設けられているので、画像読取部１０で画像を読み取る原稿にＮＦＣカードを用いた場合、ＮＦＣカードの画像の読み取りと、ＮＦＣカードとの情報の通信とを同時に行うことができる。これにより、ＮＦＣカードの情報の読み取りやＮＦＣカードへの情報の書き込みと、ＮＦＣカードの画像の撮像とを同時に行うことができる。従って、ＮＦＣカードの撮像と通信とを行う際に、別々で行う必要がなくなるので、利便性を向上させることができる。
【００８０】
また、実施形態に係る薄型スキャナ１の画像読取部１０が有する遮光層３０を形成する場合には、例えば、シート材をレーザやエッチングで加工することにより遮光壁３１を形成するのが好ましい。これにより、高精度で、且つ、容易に、遮光壁３１を有する遮光層３０を形成することができる。
【００８１】
また、実施形態に係る薄型スキャナ１の画像読取部１０が有する受発光層２０は、複数の受光素子２５は二次元配列状に配設されているが、受光素子２５は一次元配列状に配設されていてもよく、または、他の形態で配設されていてもよい。画像読取部１０は、受光素子２５が配設される形態に関わらず、原稿１００で反射した反射光のうち、この反射した位置に対向する受光素子２５とは異なる受光素子２５に向かう反射光を、遮光層３０によって遮光することができるように設けられていればよい。
【００８２】
また、実施形態に係る薄型スキャナ１では、画像読取部１０が有する遮光層３０は、回路パターン２８上に遮光壁３１を形成することにより設けられており、上述した変形例では、反射部１２０と透過部１２１とにより設けられているが、遮光層３０は、これら以外によって設けられていてもよい。例えば、遮光層３０を複数の穴を明けた板により形成し、この穴と穴との間の部分を遮光部として用いてもよい。この場合、複数の穴の配列は受光素子２５の配列と同様な配列にし、複数の穴のピッチは、受光素子２５のピッチＰ１と同ピッチにする。これにより、原稿１００で反射した反射光うち、反射した部分に対向する受光素子２５に向かう反射光は、この穴を通って受光素子２５の方向に向かい、反射した部分に対向する受光素子２５以外の受光素子２５に向かう反射光は、穴の壁面や、穴と穴との間で遮光される。即ち、穴の壁面や、穴と穴との間の部分は、遮光部となり、原稿１００における反射光が反射した部分に対向する受光素子２５以外の受光素子２５の方向に向かう反射光を遮光する。このように、遮光層３０を複数の穴を明けた板により形成することにより、容易に、且つ、精度よく遮光層３０を形成することができるため、製造コストを抑えつつ、より鮮明に原稿１００を読み取ることができる画像読取部１０及び薄型スキャナ１を得ることができる。
【００８３】
また、上述した実施形態に係る薄型スキャナ１では、蓋部５が第１本体部として設けられており、本体部６が第２本体部として設けられているが、第１本体部と第２本体部とは、蓋部５と本体部６と以外により設けられていてもよい。即ち、第１本体部が第２本体部の蓋として設けられている必要はなく、第１本体部と第２本体部との関係は、実施形態に係る薄型スキャナ１の蓋部５と本体部６との関係にとらわれない。
【００８４】
また、遮光層３０で行う遮光は、実施形態に係る薄型スキャナ１と上述した変形例とで異なる形態で行っているように、遮光には複数の形態が含まれる。つまり、実施形態に係る薄型スキャナ１において、遮光層３０が有する遮光壁３１の表面が鏡面であることによって光を遮断する場合のように、遮光壁３１の表面が反射素材であることによる光の遮断も遮光に含まれ、上述した変形例において、反射部１２０が光吸収素材である場合のように、反射部１２０で光を吸収することによる光の遮断も遮光に含まれる。さらに、上述した変形例において、反射部１２０と透過部１２１との屈折率を異ならせた場合のように、双方の境界面の屈折率の違いより、光がこの境界面で反射することによる光の遮断も遮光に含まれる。これらのように、遮光層３０で行う遮光は、所定の方向に向かう光の遮断であれば、その形態は問わない。
【産業上の利用可能性】
【００８５】
以上のように、本発明に係る画像読取機器は、原稿に近接して画像を読み取る画像読取機器に有用であり、特に、原稿を読み取る際に使用するバックライトを備える場合に適している。また、本発明に係る密着型撮像装置は、画像読取機器を原稿に近接させて撮像する密着型撮像装置に有用であり、特に、原稿の浮き上がりを有る程度許容しつつ、鮮明に撮像する場合に適している。
【符号の説明】
【００８６】
１、１３０  薄型スキャナ
５  蓋部
６、１３５  本体部
１０  画像読取部
１５  画像表示部
２０  受発光層
２１  ガラス基板
２５  受光素子
２６  発光部
２８  回路パターン
３０  遮光層
３１  遮光壁
３５  バックライト
３６  導光板
３７  反射板
３８  ＬＥＤ
６０  主制御基板
１００  原稿
１０５  原稿浮き上がり部
１２０  反射部
１２１  透過部
【図１】
2011193350.tif 000003
【図２】
2011193350.tif 000004
【図３】
2011193350.tif 000005
【図４】
2011193350.tif 000006
【図５】
2011193350.tif 000007
【図６】
2011193350.tif 000008
【図７】
2011193350.tif 000009
【図８】
2011193350.tif 000010
【図９】
2011193350.tif 000011
【図１０】
2011193350.tif 000012
【図１１】
2011193350.tif 000013
【図１２】
2011193350.tif 000014